【手続補正書】
【提出日】平成30年10月10日(2018.10.10)
【手続補正１】
【補正対象書類名】特許請求の範囲
【補正対象項目名】全文
【補正方法】変更
【補正の内容】
【特許請求の範囲】
【請求項１】
クラスノートブックへのアクセス許可を管理する方法であって、
クライアントデバイスで、サーバに格納された教師の個人用フォルダに関連付けられたクラスノートブックに共同教師を追加する要求を受け取ることであって、前記クラスノートブックが、コラボレーションセクショングループと、コンテンツライブラリセクショングループと、複数の生徒固有セクショングループとを含み、各セクショングループが前記クラスノートブックの１つまたは複数のページにそれぞれ対応し、前記コラボレーションセクショングループと前記複数の生徒固有セクショングループのそれぞれとが、前記クラスノートブックからの途絶されたロール継承を有することと、
前記クライアントデバイスにより、接続されたロール継承を有する前記クラスノートブックのセクショングループを含む前記クラスノートブックの、読み取り／書き込み許可に前記共同教師を割り当てることと、
前記クライアントデバイスにより、前記途絶されたロール継承を有する前記コラボレーションセクショングループと前記複数の生徒固有セクショングループのそれぞれとの読み取り／書き込み許可に前記共同教師を割り当てることと、
前記クライアントデバイスにより、前記教師の前記個人用フォルダから前記共同教師の読み取り／書き込み許可を削除することと
を含む方法。
【請求項２】
前記クラスノートブックに前記共同教師を割り当てることが、前記クラスノートブックに関連する前記共同教師の前記読み取り／書き込み許可を格納するよう前記サーバに要求することを含む、請求項１に記載の方法。
【請求項３】
前記コラボレーションセクショングループと前記複数の生徒固有セクショングループのそれぞれとに前記共同教師を割り当てることが、前記コラボレーションセクショングループと前記複数の生徒固有セクショングループのそれぞれとに関連する前記共同教師の前記読み取り／書き込み許可を格納するよう前記サーバに要求することを含む、請求項１に記載の方法。
【請求項４】
前記教師の前記個人用フォルダから前記共同教師の前記読み取り／書き込み許可を削除することが、前記教師の前記個人用フォルダへのアクセスから前記共同教師を削除するよう前記サーバに要求することを含む、請求項１に記載の方法。
【請求項５】
前記共同教師の個人用フォルダに前記クラスノートブックへのリンクを自動的に入れることにより、前記共同教師が前記クラスノートブックへのアクセスを有することを前記共同教師に通知することをさらに含む、請求項１に記載の方法。
【請求項６】
前記クラスノートブックへの読み取り専用ロールを前記新しい生徒に割り当てることと、
前記クラスノートブックに新しいセクショングループを作成することと、
前記新しいセクショングループのロール継承設定を途絶することと、
前記新しい生徒に、前記新しいセクショングループへの読み取り／書き込み許可を割り当てることと、
前記教師およびすべての共同教師に、前記新しいセクショングループへの読み取り／書き込み許可を割り当てることと、
前記新しい生徒に、前記コラボレーション空間への読み取り／書き込み許可を割り当てることと
により、前記クラスノートブックに新しい生徒を追加することをさらに含む、請求項１に記載の方法。
【請求項７】
前記クラスノートブックから前記共同教師を、
前記クラスノートブックへの前記共同教師のアクセスを削除することと、
前記コラボレーション空間への前記共同教師のアクセスを削除することと、
前記複数の生徒固有セクショングループへの前記共同教師のアクセスを削除することと
により削除することをさらに含む、請求項１に記載の方法。
【請求項８】
処理システムにより実行されたときに、前記処理システムに、
サーバに格納された教師の個人用フォルダに関連付けられたクラスノートブックに、接続されたロール継承を有する前記クラスノートブックのセクショングループを含めて、共同教師を読み取り／書き込み許可で割り当てることであって、前記クラスノートブックが、コラボレーションセクショングループと、コンテンツライブラリセクショングループと、複数の生徒固有セクショングループとを含み、各セクショングループが前記クラスノートブックの１つまたは複数のページにそれぞれ対応し、前記コラボレーションセクショングループと前記複数の生徒固有セクショングループのそれぞれとが、前記クラスノートブックからの途絶されたロール継承を有することと、
前記途絶されたロール継承を有する前記コラボレーションセクショングループと前記複数の生徒固有セクショングループのそれぞれとの読み取り／書き込み許可に前記共同教師を割り当てることと、
前記教師の前記個人用フォルダから前記共同教師の読み取り／書き込み許可を削除することと
を指示する命令が格納された、一時的でない１つまたは複数のコンピュータ可読記憶媒体。
【請求項９】
前記クラスノートブックに前記共同教師を割り当てる前記命令が、前記クラスノートブックに関連する前記共同教師の前記読み取り／書き込み許可を格納することを前記サーバに要求するよう前記処理システムに指示する、請求項８に記載の媒体。
【請求項１０】
前記コラボレーションセクショングループと前記複数の生徒固有セクショングループのそれぞれとに前記共同教師を割り当てる前記命令が、前記コラボレーションセクショングループと前記複数の生徒固有セクショングループのそれぞれとに関連する前記共同教師の前記読み取り／書き込み許可を格納することを前記サーバに要求するよう前記処理システムに指示する、請求項８に記載の媒体。
【請求項１１】
前記教師の前記個人用フォルダから前記共同教師の前記読み取り／書き込み許可を削除する前記命令が、前記教師の前記個人用フォルダへのアクセスから前記共同教師を削除することを前記サーバに要求するよう前記処理システムに指示する、請求項８に記載の媒体。
【請求項１２】
前記クラスノートブックへの読み取り専用ロールを前記新しい生徒に割り当てることと、
前記クラスノートブックに新しいセクショングループを作成することと、
前記新しいセクショングループのロール継承設定を途絶することと、
前記新しい生徒に、前記新しいセクショングループへの読み取り／書き込み許可を割り当てることと、
前記教師およびすべての共同教師に、前記新しいセクショングループへの読み取り／書き込み許可を割り当てることと、
前記新しい生徒に、前記コラボレーション空間への読み取り／書き込み許可を割り当てることとにより、前記クラスノートブックに新しい生徒を追加することを前記処理システムに指示する命令をさらに含む、請求項８に記載の媒体。
【請求項１３】
前記クラスノートブックから前記共同教師を、
前記クラスノートブックへの前記共同教師のアクセスを削除することと、
前記コラボレーション空間への前記共同教師のアクセスを削除することと、
前記複数の生徒固有セクショングループへの前記共同教師のアクセスを削除することと
により削除することを前記処理システムに指示する命令をさらに含む、請求項８に記載の媒体。
【請求項１４】
１つまたは複数のプロセッサを備える処理システムと、
メモリを備えるストレージシステムと、
前記ストレージシステムに格納され、前記処理システムにより実行されたときに、前記処理システムに、
教師のクラスノートブックを作成する要求を受け取ったことに応答して、サーバで前記教師の個人用フォルダに新しいクラスノートブックを格納し、コラボレーション空間セクショングループとコンテンツライブラリセクショングループとを含むセクショングループを作成することと、
前記コラボレーション空間セクショングループのロール継承を途絶することと、
前記ロール継承が途絶された後に、前記コラボレーション空間セクショングループに前記教師の読み取り／書き込み許可を割り当てることと、
少なくとも１人の生徒を追加する要求を受け取ったことに応答して、前記少なくとも１人の生徒のそれぞれに前記クラスノートブックへの読み取り専用アクセスを割り当て、前記少なくとも１人の生徒のそれぞれについて生徒固有セクショングループを前記クラスノートブックに作成し、前記生徒固有セクショングループのロール継承を途絶し、前記ロール継承が途絶された後に、前記少なくとも１人の生徒のそれぞれの読み取り／書き込み許可を前記生徒固有セクショングループの対応する１つに割り当て、前記途絶されたロール継承を有する前記生徒固有セクショングループに前記教師の読み取り／書き込み許可を割り当て、前記途絶されたロール継承を有する前記コラボレーション空間セクショングループに前記少なくとも１人の生徒のそれぞれの読み取り／書き込み許可を割り当てることと、
前記クラスノートブックに共同教師を追加する要求を受け取ったことに応答して、前記クラスノートブックに前記共同教師の読み取り／書き込み許可を割り当て、前記途絶されたロール継承を有する前記コラボレーションセクショングループと生徒固有セクショングループのそれぞれとに前記共同教師を割り当て、前記教師の前記個人用フォルダから前記共同教師の読み取り／書き込み許可を削除することと
を実行するように指示するクラスルームノートブックアプリケーションと
を含み、各セクショングループが前記クラスノートブックの１つまたは複数のページにそれぞれ対応する、システム。
【請求項１５】
前記クラスルームノートブックアプリケーションが、前記クラスノートブックに関連する前記共同教師の前記読み取り／書き込み許可を格納することを前記サーバに要求することにより、前記クラスノートブックに前記共同教師を割り当てるよう前記処理システムに指示する、請求項１４に記載のシステム。
【請求項１６】
前記クラスルームノートブックアプリケーションが、前記コラボレーションセクショングループと前記複数の生徒固有セクショングループのそれぞれとに関連する前記共同教師の前記読み取り／書き込み許可を格納することを前記サーバに要求することにより、前記コラボレーションセクショングループと前記複数の生徒固有セクショングループのそれぞれとに前記共同教師を割り当てるよう前記処理システムに指示する、請求項１４に記載のシステム。
【請求項１７】
前記クラスルームノートブックアプリケーションが、前記教師の前記個人用フォルダへのアクセスから前記共同教師を削除することを前記サーバに要求することにより、前記教師の前記個人用フォルダから前記共同教師の前記読み取り／書き込み許可を削除するよう前記処理システムに指示する、請求項１４に記載のシステム。
【請求項１８】
前記クラスルームノートブックアプリケーションが、
前記クラスノートブックへの読み取り専用ロールを前記新しい生徒に割り当てることと、
前記クラスノートブックに新しいセクショングループを作成することと、
前記新しいセクショングループのロール継承設定を途絶することと、
前記新しい生徒に、前記新しいセクショングループへの読み取り／書き込み許可を割り当てることと、
前記教師およびすべての共同教師に、前記新しいセクショングループへの読み取り／書き込み許可を割り当てることと、
前記新しい生徒に、前記コラボレーション空間への読み取り／書き込み許可を割り当てることと
により、前記クラスノートブックに新しい生徒を追加するよう前記処理システムにさらに指示する、請求項１４に記載のシステム。
【請求項１９】
前記クラスルームノートブックアプリケーションが、
前記クラスノートブックへの前記共同教師のアクセスを削除することと、
前記コラボレーション空間への前記共同教師のアクセスを削除することと、
前記複数の生徒固有セクショングループへの前記共同教師のアクセスを削除することと
により、前記クラスノートブックから前記共同教師を削除するよう前記処理システムに指示する、請求項１４に記載のシステム。
【請求項２０】
前記クラスルームノートブックアプリケーションが、前記サーバで前記共同教師の個人用フォルダに前記クラスノートブックへのリンクを入れることにより、前記共同教師が前記クラスノートブックへのアクセスを有することを前記共同教師に通知するよう前記処理システムに指示する、請求項１４に記載のシステム。